(57)【要約】      （修正有）【課題】イオントフォレシス用湿布剤の使い捨て電源部の提供。【解決手段】電極用アルミ箔２と、活性炭１と、濾紙６と、約３５度で融解する油脂を原料とするマイクロカプセル７内に封入された食塩水３の粒子を多数用意し、これを組み立て電池とする。この様な電池を一段か、或は数段程積層する。その次に各々経皮投与可能なイオン性の薬理活性物質及びイオン性の生理活性物質１２の帯電した電荷と同極の電極に、このイオン性の薬理活性物質及びイオン性の生理活性物質１２を塗布し更にそのイオン性の薬理活性物質及びイオン性の生理活性物質１２の塗布された面を直接皮膚１８に貼付し、他方その反対側のイオン性の薬理活性物質及びイオン性の生理活性物質１２の塗布されていない裸の電極にマイクロカプセル７を用意し、その内部に水又は希薄食塩水８を封じ込ませ、布１０と一体化し、皮膚１８に直接貼付する。【選択図】図１
2010050072.tif 000002
【特許請求の範囲】
【請求項１】
電極用アルミ箔２（約１２ミクロン厚の家庭用アルミホィールでも可能）と、活性炭１（木炭電池製作可能な導電性の有る高温で焼かれた、いわゆる備長炭等々の白炭でも良い）と、濾紙６（或は和紙や吸い取り紙、又はキッチンペーパーでも可能）等々の吸水率大な紙と、体温程度の温度（約３５度Ｃ）で融解する油脂（一例としてカカオ脂）等々を原料とするマイクロカプセル７内に食塩水（飽和食塩水が理想）３を封入し、そうして出来たマイクロカプセル７の粒子を多数用意し、これを（代表的な例として）図１の如く電極用アルミ箔２に濾紙６等々の吸水率大な紙を、食塩水３の封入された多数のマイクロカプセル７の粒子を介して接着し、更にこの濾紙６等々の吸水率大な紙の先に述べた面とは反対側の面に、食塩水３の封入された多数のマイクロカプセル７の粒子を接着し、この直下（＝直ぐ隣）に活性炭１等々を接着し、更にこの直下（＝直ぐ隣）に再び（導電用）金属又はアルミ箔１７を接着して構成し、この様に構成された一方の側の濾紙６等々の吸水率大な紙と、食塩水３の封入されたマイクロカプセル７の多数の粒子とが一体化している側に接している電極用アルミ箔２の方を陰（マイナス）電極とし、もう一方の側の活性炭１に接している（導電用）金属又はアルミ箔１７の方を陽（プラス）電極とし、図１２の如くこの様な電池を一段か、或は数段程積層して、更にこうして積層したものを横に並べて接続するかして、その次に各々経皮投与可能なイオン性の薬理活性物質及びイオン性の生理活性物質１２の帯電した電荷と同極の電極に、イオン性の薬理活性物質及びイオン性の生理活性物質１２を塗布し（図１から図５迄と図７は陽極に塗布した場合で、図６と図８は陰極に塗布した場合）、更にそのイオン性の薬理活性物質及びイオン性の生理活性物質１２の塗布された面を直接皮膚１８に貼付し、他方その反対側のイオン性の薬理活性物質及びイオン性の生理活性物質１２の塗布されていない裸の電極は皮膚１８にそのまま接触する側に在るので、その電極にマイクロカプセル７を用意し、その内部は先のマイクロカプセル７とは異なる水（水道水）又は希薄食塩水８を封じ込ませ、これに専用の布１０を用意してこれ等と一体化し、その専用の布１０を皮膚１８に直接貼付して成立する、体温で電池に変化するイオントフォレシス駆動用の使い捨て電源部。
【請求項２】
アルミ以外の電極用金属薄膜９と、活性炭１（木炭電池製作可能な導電性の有る高温で焼かれた、いわゆる備長炭等々の白炭でも良い）と、濾紙６（或は和紙や吸い取り紙、又はキッチンペーパーでも可能）等々の吸水率大な紙と、体温程度の温度（約３５度Ｃ）で融解する油脂（一例としてカカオ脂）等々を原料とするマイクロカプセル７内に食塩水（飽和食塩水が理想）３を封入し、そうして出来たマイクロカプセル７の粒子を多数用意し、これを（代表的な例として）図２の如くアルミ以外の電極用金属薄膜９に濾紙６等々の吸水率大な紙を、食塩水３の封入された多数のマイクロカプセル７の粒子を介して接着し、更にこの濾紙６等々の吸水率大な紙の先に述べた面とは反対側の面に、食塩水３の封入された多数のマイクロカプセル７の粒子を接着し、この直下（＝直ぐ隣）に活性炭１等々を接着し、更にこの直下（＝直ぐ隣）に再び（導電用）金属又はアルミ箔１７を接着して構成し、この様に構成された一方の側の濾紙６等々の吸水率大な紙と、食塩水３の封入された多数のマイクロカプセル７の粒子とが一体化している側に接しているアルミ以外の電極用金属薄膜９の方を陰（マイナス）電極とし、もう一方の側の活性炭１に接している（導電用）金属又はアルミ箔１７の方を陽（プラス）電極とし、図１２の如くこの様な電池を一段か、或は数段程積層して、更にこうして積層したものを横に並べて接続するかして、その次に各々経皮投与可能なイオン性の薬理活性物質及びイオン性の生理活性物質１２の帯電した電荷と同極の電極に、イオン性の薬理活性物質及びイオン性の生理活性物質１２を塗布し（図１から図５迄と図７は陽極に塗布した場合で、図６と図８は陰極に塗布した場合）、更にそのイオン性の薬理活性物質及びイオン性の生理活性物質１２の塗布された面を直接皮膚１８に貼付し、他方その反対側のイオン性の薬理活性物質及びイオン性の生理活性物質１２の塗布されていない裸の電極は皮膚１８にそのまま接触する側に在るので、その電極にマイクロカプセル７を用意し、その内部は先のマイクロカプセル７とは異なる水（水道水）又は希薄食塩水８を封じ込ませ、これに専用の布１０を用意してこれ等と一体化し、その専用の布１０を皮膚１８に直接貼付して成立する、体温で電池に変化するイオントフォレシス駆動用の使い捨て電源部。
【請求項３】
電極用アルミ箔２（約１２ミクロン厚の家庭用アルミホィールでも可能）と、活性炭１（木炭電池製作可能な導電性の有る高温で焼かれた、いわゆる備長炭等々の白炭でも良い）と、濾紙６（或は和紙や吸い取り紙、又はキッチンペーパーでも可能）等々の吸水率大な紙と、体温程度の温度（約３５度Ｃ）で融解する油脂（一例としてカカオ脂）等々を原料とするマイクロカプセル７内に精製水４（蒸留水や水道水でも良い）を封入し、そして１００パーセントの食塩微粉末５（食塩の微粒子粉末）をマイクロカプセル７のすぐ近くの周辺に多数散布し、こうして精製水４（蒸留水や水道水でも良い）の入ったマイクロカプセル７の粒子を多数用意し、これを（代表的な例として）図３の如く電極用アルミ箔２に濾紙６等々の吸水率大な紙を、精製水４の封入された多数のマイクロカプセル７と食塩微粉末５の粒子を介して接着し、更にこの濾紙６等々の吸水率大な紙の先に述べた面とは反対側の面に、精製水４の封入された多数のマイクロカプセル７と食塩微粉末５の粒子を接着し、この直下（＝直ぐ隣）に活性炭１等々を接着し、更にこの直下（＝直ぐ隣）に再び（導電用）金属又はアルミ箔１７を接着して構成し、この様に構成された一方の側の濾紙６等々の吸水率大な紙と、精製水４の封入されたマイクロカプセル７と食塩微粉末５の多数の粒子とが一体化している側に接している電極用アルミ箔２の方を陰（マイナス）電極とし、もう一方の側の活性炭１に接している（導電用）金属又はアルミ箔１７の方を陽（プラス）電極とし、図１２の如くこの様な電池を一段か、或は数段程積層して、更にこうして積層したものを横に並べて接続するかして、その次に各々経皮投与可能なイオン性の薬理活性物質及びイオン性の生理活性物質１２の帯電した電荷と同極の電極に、イオン性の薬理活性物質及びイオン性の生理活性物質１２を塗布し（図１から図５迄と図７は陽極に塗布した場合で、図６と図８は陰極に塗布した場合）、更にそのイオン性の薬理活性物質及びイオン性の生理活性物質１２の塗布された面を直接皮膚１８に貼付し、他方その反対側のイオン性の薬理活性物質及びイオン性の生理活性物質１２の塗布されていない裸の電極は皮膚１８にそのまま接触する側に在るので、その電極にマイクロカプセル７を用意し、その内部は先のマイクロカプセル７とは異なる水（水道水）又は希薄食塩水８を封じ込ませ、これに専用の布１０を用意してこれ等と一体化し、その専用の布１０を皮膚１８に直接貼付して成立する、体温で電池に変化するイオントフォレシス駆動用の使い捨て電源部。
【請求項４】
アルミ以外の電極用金属薄膜９と、活性炭１（木炭電池製作可能な導電性の有る高温で焼かれた、いわゆる備長炭等々の白炭でも良い）と、濾紙６（或は和紙や吸い取り紙、又はキッチンペーパーでも可能）等々の吸水率大な紙と、体温程度の温度（約３５度Ｃ）で融解する油脂（一例としてカカオ脂）等々を原料とするマイクロカプセル７内に精製水４（蒸留水や水道水でも良い）を封入し、そして１００パーセントの食塩微粉末５（食塩の微粒子粉末）をマイクロカプセル７のすぐ近くの周辺に多数散布し、こうして精製水４（蒸留水や水道水でも良い）の入ったマイクロカプセル７の粒子を多数用意し、これを（代表的な例として）図４の如くアルミ以外の電極用金属薄膜９に濾紙６等々の吸水率大な紙を、精製水４の封入された多数のマイクロカプセル７と食塩微粉末５の粒子を介して接着し、更にこの濾紙６等々の吸水率大な紙の先に述べた面とは反対側の面に、精製水４の封入された多数のマイクロカプセル７と食塩微粉末５の粒子を接着し、この直下（＝直ぐ隣）に活性炭１等々を接着し、更にこの直下（＝直ぐ隣）に再び（導電用）金属又はアルミ箔１７を接着して構成し、この様に構成された一方の側の濾紙６等々の吸水率大な紙と、精製水４の封入されたマイクロカプセル７と食塩微粉末５の多数の粒子とが一体化している側に接しているアルミ以外の電極用金属薄膜９の方を陰（マイナス）電極とし、もう一方の側の活性炭１に接している（導電用）金属又はアルミ箔１７の方を陽（プラス）電極とし、図１２の如くこの様な電池を一段か、或は数段程積層して、更にこうして積層したものを横に並べて接続するかして、その次に各々経皮投与可能なイオン性の薬理活性物質及びイオン性の生理活性物質１２の帯電した電荷と同極の電極に、イオン性の薬理活性物質及びイオン性の生理活性物質１２を塗布し（図１から図５迄と図７は陽極に塗布した場合で、図６と図８は陰極に塗布した場合）、更にそのイオン性の薬理活性物質及びイオン性の生理活性物質１２の塗布された面を直接皮膚１８に貼付し、他方その反対側のイオン性の薬理活性物質及びイオン性の生理活性物質１２の塗布されていない裸の電極は皮膚１８にそのまま接触する側に在るので、その電極にマイクロカプセル７を用意し、その内部は先のマイクロカプセル７とは異なる水（水道水）又は希薄食塩水８を封じ込ませ、これに専用の布１０を用意してこれ等と一体化し、その専用の布１０を皮膚１８に直接貼付して成立する、体温で電池に変化するイオントフォレシス駆動用の使い捨て電源部。
【請求項５】
図１６に書かれて有る様に、陽極（プラス極）と陰極（マイナス極）の両方の電極に、同時にイオン性の薬理活性物質及びイオン性の生理活性物質１２を塗布する事で成立する、体温で電池に変化するイオントフォレシス駆動用の使い捨て電源部。
【発明の詳細な説明】
【技術分野】
【０００１】  この発明はドラッグデリバリーシステムの一方法である、イオントフォレシスの電源に関するもので、人間や動物の体温によって、それまで電池ではなかった物体を電池に変化させて、薬理活性物質や生理活性物質を電気の力で皮膚から効率良く吸収させる事を目的としたものである。従ってこの発明はイオントフォレシスそのものではなく、イオントフォレシスを実現させる為に必要な電源部に関するものである。
【背景技術】
【０００２】  イオントフォレシスそのものは決して新しい技術ではない。しかしイオントフォレシスを駆動する為の装置は決して安価でもなく、小型・軽量でもないので、当然使い捨てには出来なかった。またゴミとして捨てた時には環境汚染が発生した。
【発明の開示】
【発明が解決しようとする課題】
【０００３】  この発明はイオントフォレシスの駆動用電源が、高価で大きく重量も有り、使い捨てにも出来ず、ゴミとして捨てた時の環境汚染が問題になったのを、一気に全て解決したものである。
【課題を解決するための手段】
【０００４】  この発明は、イオントフォレシスの駆動用電源として、最も安価で人畜無害かつゴミとして捨てた時に環境汚染の無い、木炭電池を改良したものである。しかし従来の木炭電池は電池の内部抵抗が不均一等の為に自己放電を起こし易くまた寿命が短かった。故に木炭電池は小学生の理科の実験用にしか使用されなかったのである。【０００５】  これをもし使用直前までは電池としては存在させず、使用直後から電池が言わば誕生する工夫がなされるならば、寿命の短い木炭電池はイオントフォレシスの電源として可能となる。何故ならばイオントフォレシスは、必要な電力（約６ボルトで１ミリアンペア程度）を数時間から半日ほど供給出来れば実用になるからである。【０００６】  では具体的にどんな工夫が必要であろうか？  木炭電池の材料は既に承知の如く、陰極にアルミ箔、陽極に木炭でも導電性の有る備長炭等の白炭や活性炭等を用い、他方アルミ箔からの電子を木炭に伝える媒体としての食塩水（飽和食塩水が理想）と、アルミ箔と木炭との間を絶縁する為の濾紙（キッチンペーパーでも良い）とから成立している。従ってこれが電池として電力を供給出来る様になるには、食塩水（飽和食塩水が理想）の媒体が不可欠である。もしこの食塩水が存在しなければ、電池としては存在していないのと同様である。所で既に述べた様にこの種の木炭電池は使用しなくても、自分自身で放電してしまう自己放電を起こし易く、とても長期（３年とか５年とかの）保存に耐えられるものではないが、これから説明する様な工夫をする事で長期保存が可能となるのである。【０００７】  それはこの食塩水を使用直前迄、何らかの方法で隔離して置いて、使用する段階になって初めてこの食塩水を放出させれば、３年なり５年なりの長期保存に耐えられる様になる。これがこの発明の骨子である。では前記の目的を達成する為に具体的にどんな材料と、どんな工夫を行なったか？【０００８】  それは食塩水（飽和食塩水が理想）をマイクロカプセルに封じ込める事である。マイクロカプセルは顕微鏡で見なければ見えない小さな物から直径約０．５ミリメートル（５００ミクロン）の肉眼で確認出来る程の大きな物まで存在する。この発明には肉眼で確認出来る大きさのマイクロカプセルが良い（０．５ミリメートルより大きくても良い）。【０００９】  この食塩水の封じ込められたマイクロカプセルを使用直前に破壊すれば良いのである。さてこのマイクロカプセルの破壊の方法には二通り有る。一つは力学的に破壊する方法で、これは手指等々で圧力を加えてマイクロカプセルを潰すのである。もう一つはこのマイクロカプセルの材料を人間の体温（約３６度Ｃ）では解けるが常温（最高２７度Ｃ）では固体を保っている油脂を使う方法である。【００１０】  この条件を満たす材料は、チョコレートの原料や座薬（坐薬）の基剤に用いられている、カカオ脂等々がある。カカオ脂は２７度Ｃで固体、３３度Ｃから３５度Ｃで融解する。従ってカカオ脂は前記の条件にピッタリである。【００１１】  加えてカカオ脂は、体温で融解するのみならず、手指等々で力学的に圧力を加えて破壊する事も可能である。従ってカカオ脂を使用する事によって、マイクロカプセルを壊すのにこの二通り（２ウェイ）の方法を同時に使っても良いし、又そのうちの一つで好きな方を使って壊す事も出来るのである。これがカカオ脂をマイクロカプセルに使用する事のメリットである。【００１２】  このカカオ脂で作るマイクロカプセルの直径は最も大きいマイクロカプセルである約０．５ミリメートル程度（又はそれ以上）が良い。そのおよそ０．５ミリメートル位の直径の内の約１０パーセント程度である凡そ５０ミクロン程がカカオ脂による外皮とするのが理想である。結局カカオ脂による外皮の厚みは約２５ミクロン程度となる。この数字はあくまでも一つの目安であって、問題はカカオ脂の外皮の薄い事が望ましく、厚い外皮は電池の内部抵抗を上昇させて能率を低下させる。【００１３】  この外皮の中に飽和食塩水を封じ込めるのである。この外皮はカカオ脂の固化する２７度Ｃ以下の温度では飽和食塩水が外部に漏れ出す事は無い。従ってこの状態では木炭電池を構成する媒体が存在していないのと同じである。つまりこの場合これは電池ではない。それが体温の３６度Ｃの温度で外皮が融解して、中から飽和食塩水が流れ出て電池に変化するのである。つまりこの時初めて電池が誕生するのである。
【発明の効果】
【００１４】  こうして体温で電池に変化するイオントフォレシス駆動用の使い捨て電源部が完成する。こうしたカカオ脂をマイクロカプセルとした木炭電池のメリットは、第一に電池の起電力が長期間（使用しない限り）、３年なり５年なりいやそれ以上の長期間失われずに保存された儘となっている事である。保存条件さえ良ければ（保存温度２７度Ｃ以下。ただし決して凍結させてはならない）理論上半永久的である。これが通常の木炭電池であると寿命が極めて短い。しかも最も安価な又大量に存在する材料で電池を作ろうとすればこの方法が最も確実である。つまりこの電池は起電力保存機構付木炭電池なのである。追加としてこのマイクロカプセルによって飽和食塩水の蒸発をも防いでいるのである。もしマイクロカプセルに封じ込まなければ、飽和食塩水は短期間に蒸発してしまうのである。【００１５】  第二にイオントフォレシスの場合、湿布剤として作る為にクネクネと柔らかく曲がる電池でなければならない。つまり固形の硬い電池ではダメなのである。極めて柔軟性の有る電池である事である。しかも湿布同様に極めて厚みが薄くなければならない。凡そ２ミリメートル位から約３ミリメートル位の厚みが理想である。それでも通常の湿布よりも厚い。この厚みでも良いのは後述する様に、湿布を貼付する身体の場所が、通常体温計を挟み込む左右の脇の下を設定しているからである。この脇の下は身体の平均の体温を示し、かつ両腕がぶら下っている所なので、湿布を表裏両面から体温で暖める事が出来るからである。無論、身体の全ての部分での貼付は可能である事は言う迄もない。【００１６】  第三にこの電池は使い捨てが出来る事である。材料がカカオ脂とキッチンペーパー（濾紙）とアルミ箔と備長炭と飽和食塩水のみからなるので、地球環境に優しい無公害のデバイスである事である。これなら産業廃棄物としてではなく、一般ゴミとして出しても良い程である。【００１７】  第四に、このデバイスは取り扱いが極めて簡単な事である。何故なら体温で暖めればそれで良いからである。つまり通常の電源部に必ず存在するスイッチが不要な事である。この場合スイッチは体温である。【００１８】  第五に、当然この電池は全ての電池の中でも最も格安の方に入る。コストを極めて低く出来る事である。【００１９】  第六に、製作が容易な事である。高度の技術を必要としない。マイクロカプセルにした所で既に多くの分野で使用されている技術である【００２０】  第七に、構造が極めて単純な事である。構造が複雑であると信頼性が低くなり好ましくない。この発明の様に簡単な構造をしている事が信頼性を高めるのである。
【発明を実施するための最良の形態】
【００２１】  では具体的な実施例に移ろう。
電極用アルミ箔２（約１２ミクロン厚の家庭用アルミホィールでも可能）と、活性炭１（木炭電池製作可能な導電性の有る高温で焼かれた、いわゆる備長炭等々の白炭でも良い）と、濾紙６（或は和紙や吸い取り紙、又はキッチンペーパーでも可能）等々の吸水率大な紙と、体温程度の温度（約３５度Ｃ）で融解する油脂（一例としてカカオ脂）等々を原料とするマイクロカプセル７内に封入された食塩水３（＝飽和食塩水が理想）の粒子を多数用意する。これを図１の如く電極用アルミ箔２に濾紙６等々の吸水率大な紙を、体温程度の温度（約３５度Ｃ）で融解する多数のマイクロカプセル７の粒子（食塩水３が封入されている）を介して接着し、更にこの濾紙６等々の吸水率大な紙を先の場合とは反対の面にもマイクロカプセル７（食塩水３が封入されている）の粒子を多数接着し、この直下（＝直ぐ隣）に活性炭１等々を接着する。更にこの直下（＝直ぐ隣）に再び（導電用）金属又はアルミ箔１７を接着して構成し、この様に構成された一方の側の濾紙６等々の吸水率大な紙と、マイクロカプセル７内に封入された食塩水３の多数の粒子と一体化している側に接している電極用アルミ箔２の方を陰（マイナス）電極とし、もう一方の側の活性炭１に接している（導電用）金属又はアルミ箔１７の方を陽（プラス）電極とし、この様な電池を一段か、或は数段程積層して、更にこうして積層したものを横に並べて接続するかする（図１２）。その次に各々経皮投与可能なイオン性の薬理活性物質及びイオン性の生理活性物質１２を、その帯電した電荷と同極の電極に塗布し（図１から図５迄と図７とは陽極に塗布の場合。図６と図８とは陰極に塗布の場合である）、更にそのイオン性の薬理活性物質及びイオン性の生理活性物質１２の塗布された面を直接皮膚１８に貼付し、他方その反対側のイオン性の薬理活性物質及びイオン性の生理活性物質１２の塗布されていない裸の電極は皮膚１８にそのまま接触する側に在るので、その電極に既存のマイクロカプセル７を今迄とは全く別の用途で使用するので、そのマイクロカプセル７の内部には水（水道水）又は希薄食塩水８を封じ込ませ、これに専用の布１０を用意してこれ等と一体化し、その専用の布１０を皮膚１８に直接貼付して成立する、体温で電池に変化するイオントフォレシス駆動用の使い捨て電源部がその一つの実施例である。なお蛋白質等々の両性電解質は、陽（プラス）イオンにも陰（マイナス）イオンにもなるので、この場合は電極の部分のＰＨ（酸塩基）を調整する事で陽（プラス）電極にも陰（マイナス）電極にもそのどちらにも塗布出来る。
なお図面中のマイクロカプセルだけは、用途が異なっていても同じ符号７を使いマイクロカプセル７として統一した。【００２２】  次の実施例は、図２に描いて有る様に陰（マイナス）電極に電極用アルミ箔２を使用せず、アルミ以外の他の電極用金属薄膜９を使用する場合である。つまり陰（マイナス）電極は必ずしもアルミでなければならないと言う理由は無い。コストが安くて陰（マイナス）電極として充分な能率を有していれば良いのである。その他の点は全部、図１と同様である。【００２３】  第三番目の実施例は図３の様にアルミ以外の他の電極用金属薄膜９を使用せずに、従来通り電極用アルミ箔２を陰（マイナス）電極として使用し、又、マイクロカプセル７内には、必ずしも食塩水３を封入する必要はなく、精製水４（蒸留水や水道水でも良い）を封入しても良い。ただし精製水４をマイクロカプセル７内に封入した場合は、絶対に１００パーセントの食塩微粉末５（食塩の微粒子粉末）をマイクロカプセル７の周辺に散布して置く必要が有る。マイクロカプセル７が融解した時に精製水４が１００パーセントの食塩微粉末５（食塩の微粒子粉末）の中に浸透して行き、食塩水となるからである。ただし、イオン性の薬理活性物質及びイオン性の生理活性物質１２の塗布されていない裸の電極の場所には、皮膚１８にそのまま接触する側に在るので、その電極に既存のマイクロカプセル７とは全く別の用途で使用する、しかし中身は同じ（体温で融解する）マイクロカプセル７を用意し、その内部に水（水道水）又は希薄食塩水８を封じ込ませ、これに専用の布１０を用意してこれ等と一体化し、その専用の布１０を皮膚１８に直接貼付する。その他の点では全て図２と同じである。すなわち図２から電極用金属薄膜９だけを除去した形式である。【００２４】  第四番目の実施例は図４に有る様に、陰（マイナス）電極に電極用アルミ箔２を使用せず、アルミ以外の他の電極用金属薄膜９を使用する場合である。ただしその他の点では、既にに記載した図３の実施例と全く同様である。すなわちマイクロカプセル７内には、食塩水３を封入する方式ではなく、精製水４（蒸留水や水道水でも良い）を封入する方式である。ただし精製水４をマイクロカプセル７内に封入した場合は、絶対に１００パーセントの食塩微粉末５（食塩の微粒子粉末）をマイクロカプセル７の周辺に散布して置く必要が有る。マイクロカプセル７が融解した時に精製水４が１００パーセントの食塩微粉末５（食塩の微粒子粉末）の中に浸透して行き、食塩水となるからである。【００２５】  以上、四つの実施例が存在するが基本的な考えは、四つ共全て同じである。なお図３の実施例の変形として図５が有る。この図５は図１から図４迄の四つの図の長所を取り入れたアイデアである。図５は精製水４に食塩微粉末５（食塩の微粒子粉末）を小量使用して混和した、中間濃度の食塩水２４として作り、この中間濃度の食塩水２４をマイクロカプセル７内に封入して置き、更に食塩微粉末５（食塩の微粒子粉末）をマイクロカプセル７の周辺に散布して置き、マイクロカプセル７が融解してから濃い（Ｃｏｎｃ）食塩水か飽和食塩水が作られる様にセットする方法である。【００２６】  なおこの電源部はカカオ脂で作られたマイクロ��プセル７を体温で融解するだけでなく、力学的な圧力によっても破壊して内部の食塩水３を流出させる事が可能である。つまり体温でも手の圧力でもどちらでも良いのである。図１３は湿布本体（シート）を合成樹脂の外側包装１３に包み、この外側包装１３に棒状のバネ１４か又は回転式のバネ１５をセットして、湿布を取り出す時に一部分マイクロカプセル７がバネの圧力で破壊されて、破壊されずに残ったマイクロカプセル７が体温で融解するシステムとするのである。この場合、バネの圧力でのマイクロカプセル７の破壊は体温での融解に対する補助手段である。図１４は湿布（シート）本体を外側包装から取り出した図である。【００２７】  この湿布（シート）を身体の何処に貼付するかと言えば、体温計を挟む左右の脇の下が最も良い。この身体の部分は全身の平均体温を示している所のみならず、脇の下は左右の両腕がぶら下っている所なので、湿布（シート）を表裏両面から体温で暖める事が出来るからである。またここは外から見てあまり目立たないのと、邪魔になりにくい場所だからである。無論、左右両脇の下以外の場所に貼付してかまわないが、３５度Ｃ以上の体温の伝わる所でなければならない。【００２８】  ではどんな薬理活性物質または生理活性物質１２が、考えられるであろうか？  一例としてインスリンが考えられる。インスリンは経皮投与が出来ず、イオントフォレシスの方法でのみ経皮投与が可能である。インスリンの投与方法では、肺から吸収させる方法とか経口投与とか注射による投与が有るが、経口投与は血中濃度が一定せず、肺からの投与には肺への副作用が心配である。故に最も安定しているのが注射である。しかし注射では皮膚に傷を作るので、出来れば身体を傷付けずに投与するのが望ましい。なおインスリンはペプチドホルモンなので両性電解質である。ＰＨの状態によって陽イオンにも陰イオンにもなる。【００２９】  このインスリンをこの発明のイオントフォレシスで投与する事により、小型・軽量・安価（ローコスト）・簡便（使い方が簡単）・使い捨て・無公害（環境汚染無し）でありながら、ＥＢＭの確立した治療が可能となるのである。【００３０】  更に、化粧品（生理活性物質）にも応用出来る事は既に承知の如く言う迄も無い事である。つまり経皮投与可能な物質なら全て適用出来るのである。
【この発明の細かい追加事項】
【００３１】  なおこのイオントフォレシスは直流なので、生体内で分極化し易い事や、又ＰＨの移動で皮膚刺激が発生し不快を伴い易いのも欠点である。従って分極化を防止する方法として、交流のイオントフォレシスにする必要が有るが、交流はコストが極めて高くなり、取り扱いも不便である。故に直流のイオントフォレシスのままで皮膚刺激を除去する必要が有る。まずこの発明に於いては生体の電位バランスを取る方法として、無機ゲルマニウム１９の微細粒子を電極（どちらの電極でも良い）に部分的に塗布する事である。これで皮膚刺激は軽減出来る。何故なら無機ゲルマニウム１９は痛みを和らげる作用が有るからである。又、無機ゲルマニウム１９は生体がプラスに荷電している時はマイナスに移動させてこれを中和し、生体がマイナスに荷電している時はプラスに移動させてこれを中和する働きが有る。これで生体の電位バランスを取るのである。
又、湿布の貼る場所を移動させて慣れの現象を防止するのも一つの方法である。
又、湿布全体の大きさであるが、大きさに制限は無いが市販のおよそ１０ｃｍ×１４ｃｍ位の大きさで良い。湿布全体の厚みとしては約２ｍｍから３ｍｍほどの厚みが可能である。
【００３２】  なお、この発明の変形として、坐薬型イオントフォレシスが考えられる。この坐薬型イオントフォレシスには二通り有って、一つは坐薬と湿布とを電線（絶縁被覆を施した電線）で結び付け、この発明の電池を坐薬の中に内蔵し、薬理活性物質や生理活性物質を湿布側に塗布した装置である。この場合湿布は背中の最下端の位置に貼付する。もう一つは坐薬の中にこの発明の電池を装備する点では同じだが、同時に坐薬の表面に薬理活性物質や生理活性物質を塗布して一体化する方法である。共通している点は電池は全て坐薬の中に装備されている事である。無論、この電池は電圧を上げる為に何層かに積層する事は言う迄もない（この場合、円筒形の坐薬の円の同心円状に積層する）。それでも、坐薬の大きさには制限が有り、その長さと太さは単三乾電池一本位が限度と考えられるので、電池としてのパワーは（この発明の様に湿布に内蔵する電池に比べて）低下する。このパワーの低下を防止する為に、マイクロカプセル内の食塩水の水に過酸化水素水Ｈ２Ｏ２を混ぜて使用する方法である。過酸化水素水Ｈ２Ｏ２は皮膚や口腔や鼻粘膜の殺菌・洗浄に用いられる。この過酸化水素水Ｈ２Ｏ２を希釈するか、または小量用いる事で電池のパワーを向上させる。無論、この過酸化水素水Ｈ２Ｏ２を添加する事は、これ迄述べて来た湿布型の電池にもそのまま使用出来る事は言う迄もない。では坐薬型イオントフォレシスの長所であるが、体温の約３６．５度Ｃが確実に保たれる事は、脇の下に貼付するよりも遥かに確実である（脇の下に貼る場合は、しっかりと固定して貼りつける事である）。また常時適度な圧力が加わるので、電池内部の接触不良による起電力低下の恐れは全く無い。無論、湿布に内蔵する電池の場合も作り方がしっかりしていれば、何も問題が無いのは当然である。なお坐薬型イオントフォレシスの図面は、これ迄の明細書と図面から、容易に考えられるので、省略する。
【図面の簡単な説明】
【００３３】
【図１】  請求項１でこの発明の基本（断面図）
【図２】  請求項２
【図３】  請求項３
【図４】  請求項４
【図５】  図１から図４の長所を合わせた図
【図６】  電池の極性が逆の図（断面図）
【図７】  薬理活性物質や生理活性物質塗布面を逆にした断面図
【図８】  電池の極性と薬理活性物質や生理活性物質塗布面とを逆にした断面図
【図９】  図１を皮膚貼付面から見た図
【図１０】  図７を皮膚貼付面から見た図
【図１１】  基本の変形（薬理活性物質や生理活性物質に対し対向電極を並列にする）
【図１２】  電池の積層（縦と横の双方に積層した断面図）
【図１３】  外側の包装と本体の湿布（シート）の一体化
【図１４】  外側の包装から本体の湿布（シート）を少し引き出した図
【図１５】  棒状バネを回転式にした図
【図１６】  薬理活性物質や生理活性物質を陰陽両電極に塗布した時の断面図
【図１７】  無機ゲルマニウム塗布の図（一つの例）
【図１８】  人体に貼付した図（一つの例）
【符号の説明】
【００３４】  １  活性炭
２  電極用アルミ箔
３  食塩水（＝飽和食塩水）
４  精製水（蒸留水）
５  食塩微粉末
６  濾紙等々
７  マイクロカプセル
８  水（水道水）又は希薄食塩水
９  電極用金属薄膜
１０  皮膚対面布
１１  湿布（シート）背面布
１２  イオン性薬理活性物質又はイオン性生理活性物質
１３  外側の包装
１４  棒状バネ
１５  回転式のバネ部分
１６  保護シート
１７  （導電用）金属又はアルミ箔
１８  皮膚（表面）
１９  無機ゲルマニウムの微粉末
２０  人体（略図）
２１  絶縁物
２２  血管
２３  皮膚の断面図（略図）
２４  中間濃度の食塩水
２５  湿布本体
２６  回転式の車輪部分
【図１】
2010050072.tif 000003
【図２】
2010050072.tif 000004
【図３】
2010050072.tif 000005
【図４】
2010050072.tif 000006
【図５】
2010050072.tif 000007
【図６】
2010050072.tif 000008
【図７】
2010050072.tif 000009
【図８】
2010050072.tif 000010
【図９】
2010050072.tif 000011
【図１０】
2010050072.tif 000012
【図１１】
2010050072.tif 000013
【図１２】
2010050072.tif 000014
【図１３】
2010050072.tif 000015
【図１４】
2010050072.tif 000016
【図１５】
2010050072.tif 000017
【図１６】
2010050072.tif 000018
【図１７】
2010050072.tif 000019
【図１８】
2010050072.tif 000020